(57)【要約】      （修正有）【課題】可撓性を有する密封包装容器内に収容されている流動性を有する内容物を全量、綺麗に使い切ることが可能で、比較的低コストで提供することができ、資源の消費を抑えることが可能な密封包装容器を提供する。【解決手段】可撓性を有する素材からなり、鋭角な角部を少なくとも一つ備えている密封包装容器５の内部に流動性を有する内容物が収容されている流動体収容具１と、該流動体収容具に取り付け、取り外し可能な板状体２の端縁に取り付けられていて、前記流動体収容具における前記密封包装容器の前記鋭角な角部に形成された開口部３を開閉する開口部開閉具１６とからなることを特徴とする流動体収容具と開口部開閉具との組み合わせ。【選択図】図１
0003167897.tif 000002
【実用新案登録請求の範囲】
【請求項１】
可撓性を有する素材からなり、鋭角な角部を少なくとも一つ備えている密封包装容器の内部に流動性を有する内容物が収容されている流動体収容具と、
前記流動体収容具に取り付け、取り外し可能な板状体の端縁に取り付けられていて、前記流動体収容具における前記密封包装容器の前記鋭角な角部に形成された開口を開閉する開口部開閉具と
からなることを特徴とする流動体収容具と開口部開閉具との組み合わせ。
【請求項２】
可撓性を有する素材からなり、鋭角な角部を少なくとも一つ備えている密封包装容器の内部に流動性を有する内容物が収容されている流動体収容具と、
前記流動体収容具を抱持する覆い具の端縁に取り付けられていて、前記流動体収容具における前記密封包装容器の前記鋭角な角部に形成された開口を開閉する開口部開閉具と
からなることを特徴とする流動体収容具と開口部開閉具との組み合。
【請求項３】
可撓性を有する素材からなり、鋭角な角部を少なくとも一つ備えている密封包装容器の内部に流動性を有する内容物が収容されている流動体収容具と、
前記流動体収容具を内部に収容する円筒状の覆い筒の２つに切り離されている円筒周壁端縁に取り付けられていて、記流動体収容具における前記密封包装容器の前記鋭角な角部に形成された開口を開閉する開口部開閉具と
からなることを特徴とする流動体収容具と開口部開閉具との組み合わせ。
【請求項４】
前記密封包装容器が復元性を有しない合成樹脂のフィルムから形成されていることを特徴とする請求項１乃至３のいずれか一項に記載されている流動体収容具と開口部開閉具との組み合わせ。
【考案の詳細な説明】
【技術分野】
【０００１】  この考案は、流動性を有する物、例えば、流動性を有する食料品、栄養補助食品、化粧品、医薬品、化学品などを内部に収容している可撓性を有する密封包装容器と、当該密封包装容器に形成された開口部に取り付けられて、当該開口部の開閉を行う開口部開閉具との組み合わせに関する。
【背景技術】
【０００２】  従来から、可撓性を有する密封包装容器の内部に流動性を有する物、例えば、流動性を有する食料品、栄養補助食品、化粧品、医薬品、化学品などを収容した商品が市販されて使用されている。例えば、キャップなどによって開閉可能になっている可撓性を有する密封容器内に食品、栄養補助食品、化粧品、医薬品、化学品などが収容されて市販され、家庭などにおいて使用されている。【０００３】  このような密封包装容器に関して、絞り出し具を備えた密封容器の提案が行われている（特許文献１）。
【先行技術文献】
【特許文献】
【０００４】
【特許文献１】特開２００１−１３９０７０号公報
【考案の概要】
【考案が解決しようとする課題】
【０００５】  従来のキャップなどによって開閉する密封容器の場合、収容している内容物を全量使い切ることが難しく、密封容器の開口部内側に残渣が存在するという問題がある。また、従来のこのような容器は、一般的に使い捨てであるが、キャップを備えているので製造コストがその分高くなり、資源の無駄が多い、という問題がある。【０００６】  そこで、この考案は、可撓性を有する密封包装容器内に収容されている流動性を有する内容物を全量、綺麗に使い切ることが可能で、比較的低コストで提供することができ、資源の消費を抑えることが可能な密封包装容器を提案することを目的にしている。
【課題を解決するための手段】
【０００７】  前記目的を達成するため本願は以下の考案を提案するものである。【０００８】  請求項１記載の考案は、
可撓性を有する素材からなり、鋭角な角部を少なくとも一つ備えている密封包装容器の内部に流動性を有する内容物が収容されている流動体収容具と、
前記流動体収容具に取り付け、取り外し可能な板状体の端縁に取り付けられていて、前記流動体収容具における前記密封包装容器の前記鋭角な角部に形成された開口を開閉する開口部開閉具と
からなることを特徴とする流動体収容具と開口部開閉具との組み合わせである。【０００９】  請求項２記載の考案は、
可撓性を有する素材からなり、鋭角な角部を少なくとも一つ備えている密封包装容器の内部に流動性を有する内容物が収容されている流動体収容具と、
前記流動体収容具を抱持する覆い具の端縁に取り付けられていて、前記流動体収容具における前記密封包装容器の前記鋭角な角部に形成された開口を開閉する開口部開閉具と
からなることを特徴とする流動体収容具と開口部開閉具との組み合わせである。【００１０】  請求項３記載の考案は、
可撓性を有する素材からなり、鋭角な角部を少なくとも一つ備えている密封包装容器の内部に流動性を有する内容物が収容されている流動体収容具と、
前記流動体収容具を内部に収容する円筒状の覆い筒の２つに切り離されている円筒周壁端縁に取り付けられていて、記流動体収容具における前記密封包装容器の前記鋭角な角部に形成された開口を開閉する開口部開閉具と
からなることを特徴とする流動体収容具と開口部開閉具との組み合わせである。【００１１】  請求項４記載の考案は、
前記密封包装容器が復元性を有しない合成樹脂のフィルムから形成されていることを特徴とする請求項１乃至３のいずれか一項に記載されている流動体収容具と開口部開閉具との組み合わせである。
【考案の効果】
【００１２】  この考案によれば、可撓性を有する密封包装容器内に収容されている流動性を有する内容物を全量、綺麗に使い切ることが可能で、比較的低コストで提供することができ、資源の消費を抑えることが可能な密封包装容器を提供することができる。【００１３】  この考案によれば、可撓性を有する素材からなり、鋭角な角部を少なくとも一つ備えている密封包装容器の内部に流動性を有する内容物が収容されている流動体収容具における前記密封包装容器の前記鋭角な角部に形成された開口を開閉する開口部開閉具は、前記密封包装容器内に収容されている内容物の全量が前記開口から押し出され、あるいは絞り出された後に、当該密封包装容器から外して、他の流動体収容具に取り付けて繰り返して何度でも使用することができる。【００１４】  この結果、消費者などは、キャップなどの開閉手段を備えていない、可撓性を有する密封包装容器、例えば、復元性を有さない合成樹脂製フィルムからなる袋に流動性を有する食料品、栄養補助食品、化粧品、医薬品、化学品などが充填されている商品を購入し、これに前記の開口部開閉具を取り付けて使用することが可能になる。【００１５】  そこで、キャップなどの開閉手段を備えていない、可撓性を有する密封包装容器、例えば、復元性を有さない合成樹脂製フィルムからなる袋に流動性を有する物を充填して流通させることができるので、キャップなどの開閉手段を備えている密封包装容器を用いる場合に比較して使用する資源を少なくすることができ、コストを削減することができ、破棄処分にあたってもキャップなどの開閉手段がないので有利になる。また、このように、キャップなどの開閉手段を備えていない密封包装容器を使用することができるので物流においても便利で、コスト削減を図ることが可能になる。
【図面の簡単な説明】
【００１６】
【図１】この考案の好ましい実施形態の一例を表す斜視図。
【図２】この考案の好ましい実施形態の他の例を表す斜視図。
【図３】この考案の好ましい実施形態の更に他の例を表す斜視図。
【図４】この考案の好ましい実施形態の更に他の例を表す斜視図。
【考案を実施するための形態】
【００１７】  以下、添付図面を参照して本考案の好ましい実施例を説明する。
【００１８】  図１はこの考案の好ましい実施形態の一例を表す斜視図である。
【００１９】  合成樹脂製の矩形の板状体２の端縁（図１中、下側の端縁）に、開口部開閉具１６が取り付けられている。
【００２０】  開口部開閉具１６は、中心部７を介して延びる挟持片６と、操作片８とからなる挟持体９と、操作片８の背面側に取り付けられている付勢手段である板バネ１０とを備えている。
【００２１】  板バネ１０の支持片１０ａは板状体２の表面４に取り付けられている。板バネ１０の付勢力によって、操作片８、挟持片６は常に、矢印４１ａ、４２ａで示す方向に付勢されており、挟持片６は板状体２の表面４に向けて板バネ１０の付勢力によって常に押し付けられている。
【００２２】  図示の実施形態では、流動体収容具１が、不図示の両面テープによって板状体２の表面４に取り付けられている。
【００２３】  流動体収容具１は、密封包装容器５の内部に流動性を有する内容物を収容しているものである。
【００２４】  図示の実施形態では、密封包装容器５は、鋭角（図示の実施形態では直角）の角部５ａ、５ｂ、５ｃ、５ｄを備えている矩形の合成樹脂製で可撓性を有する袋体である。
【００２５】  この密封包装容器５の内部に流動性を有する内容物、例えば、流動性を有する食料品、栄養補助食品、化粧品、医薬品、化学品などが収容されている。
【００２６】  不図示の両面テープによって板状体２の表面４に流動体収容具１を取り付ける。その後、操作片８を板バネ１０の付勢力に抗して中心部７を中心として矢印４１ｂ方向に移動させ、挟持片６を板状体２の表面４から離し、挟持片６と板状体２の表面４との間に形成された隙間に、密封包装容器５の角部５ａを強く引っ張って図１図示の位置にまで引き出す。
【００２７】  ここで、操作片８に与えていた力を解除し、挟持片６を板バネ１０の付勢力によって矢印４２ａ方向へ移動させ、挟持片６と板状体２の表面４との間に密封包装容器５の角部５ａを挟む。その後、密封包装容器５の角部５ａを切除し、開口部３を角部５ａに形成する。
【００２８】  以降、密封包装容器５内に収容されている流動性を有する内容物を使用するときには、操作片８を板バネ１０の付勢力に抗して矢印４１ｂ方向に移動させ、挟持片６を板状体２の表面４から離し、密封包装容器５を圧して、開口部３から内容物を絞り出し、使用が終了したならば、操作片８に与えていた力を解除し、挟持片６を板バネ１０の付勢力によって矢印４２ａ方向へ移動させ、挟持片６と板状体２の表面４との間に密封包装容器５の角部５ａを挟んで開口部３を密封する。
【００２９】  図２は、この考案の好ましい実施形態の他の例を表す斜視図である。
【００３０】  図１図示の実施形態では、合成樹脂製の矩形の板状体２が、縁辺２ａとこれに対向する縁辺（不図示）とが平行になっている長方形の板状体であった。図２図示の実施形態では、板状体１２の縁辺１２ａに対向する縁辺（不図示）が縁辺１２ａに対して平行ではなく、斜めになっている点のみが図１図示の実施形態と相違している。その他の点は、図１図示の実施形態と同一である。そこで、共通する部分には図１で使用したものと同一の符号を用いてその説明を省略する。
【００３１】  図２図示の実施形態の場合、図１図示の実施形態に比較して密封包装容器５の角部５ａを強く引っ張って図２図示の位置にまで引き出すことが容易になる。
【００３２】  図３は、この考案の好ましい実施形態の更に他の例を表す斜視図である。
【００３３】  図１、図２図示の実施形態では、板状体２、板状体１２が流動体収容具１に取り付け、取り外し可能なものであり、例えば、両面テープなどによって、流動体収容具１を板状体２、１２の表面４、１４に取り付けるようにしていた。
【００３４】  図３図示の実施形態では、板状体２、板状体１２に替えて流動体収容具１を抱持する覆い具２２が採用されている。その他の点は、図１、図２図示の実施形態と同一であるので、共通する部分には図１、図２で使用したものと同一の符号を用いてその説明を省略する。
【００３５】  覆い具２２は、合成樹脂製の一枚の板状体とし、符号４ｃで示す部分を折り曲げ部として折り曲げられている挟持板４ａ、４ｂからなるものとすることができる。
この場合、覆い具２２の端縁（図３中、下側の端縁）に取り付けられる開口部開閉具１７は符号１７ｃで示す部分で分割されている緊締片１７ａ、１７ｂで構成することができる。
【００３６】  流動体収容具１の密封包装容器５において開口部が形成される図３中、左下側の角部を挟持する緊締片１７ａ、１７ｂの先端側には、ボルト孔１８ｂ、ナット孔１８ａが形成されている。
【００３７】  覆い具２２の挟持板４ａ、４ｂで流動体収容具１を抱持した後、密封包装容器５の図３中、左下側の角部（不図示）を強く引っ張って緊締片１７ａ、１７ｂより下側に引き出し、そこで、ネジ部１９ａを外周壁に備えているボルト１９の頭部１９ｂを摘んで、ボルト１９をボルト孔１８ｂ、ナット孔１８ａの内周に形成されているネジ溝に螺合させ、下側に引き出された密封包装容器５の図３中、左下側の角部（不図示）を緊締片１７ａ、１７ｂによって強く挟みつける。その後、密封包装容器５の図３中、左下側の角部（不図示）を切除し、開口部を形成する。
【００３８】  以降、密封包装容器５内に収容されている流動性を有する内容物を使用するときには、ボルト１９を緩める方向に回転させて緊締片１７ａ、１７ｂによる緊締状態を緩め、挟持板４ａ、４ｂを圧して開口部から内容物を絞り出し、使用が終了したならば、ボルト１９を締め付けて、緊締片１７ａ、１７ｂによって開口部を密封する。
【００３９】  なお、前記において、覆い具２２の端縁（図３中、下側の端縁）に取り付けられる開口部開閉具１７を、符号１７ｃで示す部分で折り曲げられて連続している緊締片１７ａ、１７ｂで構成することもできる。
【００４０】  また、前記において、覆い具２２を、符号４ｃで示す部分で分割されている２枚の挟持板４ａ、４ｂから構成することもできる。ただし、この場合には、覆い具２２の端縁（図３中、下側の端縁）に取り付けられる開口部開閉具１７は、上述したように、符号１７ｃで示す部分で折り曲げられて連続している緊締片１７ａ、１７ｂで構成する必要がある。
【００４１】  上述し、図３に示した実施形態でも、両面テープなどによって、流動体収容具１を挟持板４ａ、４ｂの内壁面に取り付けることができる。
【００４２】  図４は、この考案の好ましい実施形態の更に他の例を表す斜視図である。
【００４３】  図４図示の実施形態では、図１、図２図示の実施形態における板状体２、板状体１２に替えて、流動体収容具１を内部に収容する円筒状の覆い筒３２が採用されている。
【００４４】  覆い筒３２の周壁２４は下端側（図４中、下側）において切除線３０で切断されて前方壁２４ａと後方壁２４ｂとに切り離されている。この２つに切り離されている前方壁２４ａ、後方壁２４ｂそれぞれの端縁に開口部開閉具２７が取り付けられている。
【００４５】  円筒状の覆い筒３２の２つに切り離されている端縁に取り付けられている開口部開閉具２７は符号２７ｃで示す部分で分割されている緊締片２７ａ、２７ｂで構成されている。
【００４６】  開口部開閉具２７の構造は図３の実施形態で説明した開口部開閉具１７の構造と基本的に同一であるが、図４図示の開口部開閉具２７ではボルト孔２８ｂ、ナット孔（不図示）がそれぞれ緊締片２７ａ、２７ｂの中間部に形成されている点が開口部開閉具１７と相違している。
【００４７】  その他の点は、図１、図２、図３図示の実施形態と同一であるので、共通する部分には図１、図２、図３で使用したものと同一の符号を用いてその説明を省略する。
【００４８】  なお、この実施形態でも、円筒状の覆い筒３２の２つに切り離されている端縁に取り付けられている開口部開閉具２７を、符号２７ｃで示す部分で折り曲げられて連続している緊締片２７ａ、２７ｂで構成することもできる。
【００４９】  密封包装容器５が比較的大きい場合、図４図示の実施形態のように流動体収容具１を円筒状の覆い筒３２の内部に収容するようにすると有利である。
【００５０】  以上説明したいずれの実施形態においても、密封包装容器５を合成樹脂製の可撓性を有する袋体、特に、復元性を有しないフィルム状の袋体にすると、開口部３から内容物を絞り出すために密封包装容器５を圧した後に密封包装容器５内に開口部３を介して空気が入り込むことが無い。そこで、密封包装容器５を復元性を有しない合成樹脂のフィルムで形成しておくと内容物を使い切るまで内容物が酸化によって劣化することを防止できるので有利である。また、本考案の実施形態によれば、密封包装容器５内への充填作業を単純化することができる。
【００５１】  また、以上説明したいずれの実施形態においても、挟持片６の密封包装容器５に当接する面、緊締片１７ａ、１７ｂ、２７ａ、２７ｂの密封包装容器５に当接する面などにクッション性を有するクッション材を取り付けておくことにより気密性を向上させることができる。
【符号の説明】
【００５２】１  流動体収容具
２  板状体
３  開口部
４、１４  板状体の表面
４ａ、４ｂ  挟持板
５  密封包装容器
５ａ、５ｂ、５ｃ、５ｄ  鋭角の角部
１０  板バネ
１６  開口部開閉具
１７  開口部開閉具
１７ａ、１７ｂ  緊締片
２２  覆い具
２４  覆い筒の周壁
２４ａ  前方壁
２４ｂ  後方壁
３２  円筒状の覆い筒
３０  切除線
２７  開口部開閉具
【図１】
0003167897.tif 000003
【図２】
0003167897.tif 000004
【図３】
0003167897.tif 000005
【図４】
0003167897.tif 000006
【手続補正書】
【提出日】平成23年2月24日(2011.2.24)
【手続補正１】
【補正対象書類名】実用新案登録請求の範囲
【補正対象項目名】全文
【補正方法】変更
【補正の内容】
【実用新案登録請求の範囲】
【請求項１】
可撓性を有する素材からなり、鋭角な角部を少なくとも一つ備えている密封包装容器の内部に流動性を有する内容物が収容されている流動体収容具と、
前記流動体収容具に取り付け、取り外し可能な板状体の端縁に取り付けられていて、前記流動体収容具における前記密封包装容器の前記鋭角な角部に形成された開口を開閉する開口部開閉具と
からなり、
前記開口部開閉具は、中心部を介して延びる挟持片と操作片とからなる挟持体と、前記操作片の背面側に取り付けられている付勢手段とを備えていて、
前記付勢手段の支持片が前記板状体の表面に取り付けられて、前記付勢手段の付勢力によって、前記挟持片が常に前記板状体の表面に向けて押し付けられ、
前記板状体の表面と、前記挟持片との間で前記密封包装容器の前記鋭角な角部を挟むことにより、前記鋭角な角部に形成された開口を開閉するものであ
ることを特徴とする流動体収容具と開口部開閉具との組み合わせ。
【請求項２】
可撓性を有する素材からなり、鋭角な角部を少なくとも一つ備えている密封包装容器の内部に流動性を有する内容物が収容されている流動体収容具と、
前記流動体収容具を抱持する覆い具の端縁に取り付けられていて、前記流動体収容具における前記密封包装容器の前記鋭角な角部に形成された開口を開閉する開口部開閉具と
からなり、
前記覆い具は、一枚の板状体を折り曲げ部を介して折り曲げることにより、当該折り曲げ部の両側にそれぞれ挟持板が形成されているものであって、
前記覆い具の端縁に取り付けられている前記開口部開閉具は、前記挟持板の端縁にそれぞれ取り付けられている緊締片を備えていて、
前記密封包装容器において開口部が形成される前記角部が前記緊締片によって挟持され、
前記緊締片同士がボルトによって緊締状態とされ、あるいは、当該緊締状態が緩められることにより、
前記鋭角な角部に形成された開口が開閉され
ることを特徴とする流動体収容具と開口部開閉具との組み合わせ。
【請求項３】
可撓性を有する素材からなり、鋭角な角部を少なくとも一つ備えている密封包装容器の内部に流動性を有する内容物が収容されている流動体収容具と、
前記流動体収容具を内部に収容する円筒状の覆い筒の２つに切り離されている円筒周壁端縁に取り付けられていて、記流動体収容具における前記密封包装容器の前記鋭角な角部に形成された開口を開閉する開口部開閉具と
からなり、
前記開口部開閉具は、前記２つに切り離されている円筒周壁端縁にそれぞれ取り付けられている緊締片を備えており、
前記密封包装容器において開口部が形成される前記角部が前記緊締片によって挟持され、
前記緊締片同士がボルトによって緊締状態とされ、あるいは、当該緊締状態が緩められることにより、
前記鋭角な角部に形成された開口が開閉され
ることを特徴とする流動体収容具と開口部開閉具との組み合わせ。
【請求項４】
前記密封包装容器が復元性を有しない合成樹脂のフィルムから形成されていることを特徴とする請求項１乃至３のいずれか一項に記載されている流動体収容具と開口部開閉具との組み合わせ。
【手続補正２】
【補正対象書類名】明細書
【補正対象項目名】０００８
【補正方法】変更
【補正の内容】
【０００８】  請求項１記載の考案は、
可撓性を有する素材からなり、鋭角な角部を少なくとも一つ備えている密封包装容器の内部に流動性を有する内容物が収容されている流動体収容具と、
前記流動体収容具に取り付け、取り外し可能な板状体の端縁に取り付けられていて、前記流動体収容具における前記密封包装容器の前記鋭角な角部に形成された開口を開閉する開口部開閉具と
からなり、
前記開口部開閉具は、中心部を介して延びる挟持片と操作片とからなる挟持体と、前記操作片の背面側に取り付けられている付勢手段とを備えていて、
前記付勢手段の支持片が前記板状体の表面に取り付けられて、前記付勢手段の付勢力によって、前記挟持片が常に前記板状体の表面に向けて押し付けられ、
前記板状体の表面と、前記挟持片との間で前記密封包装容器の前記鋭角な角部を挟むことにより、前記鋭角な角部に形成された開口を開閉するものであ
ることを特徴とする流動体収容具と開口部開閉具との組み合わせである。
【手続補正３】
【補正対象書類名】明細書
【補正対象項目名】０００９
【補正方法】変更
【補正の内容】
【０００９】  請求項２記載の考案は、
可撓性を有する素材からなり、鋭角な角部を少なくとも一つ備えている密封包装容器の内部に流動性を有する内容物が収容されている流動体収容具と、
前記流動体収容具を抱持する覆い具の端縁に取り付けられていて、前記流動体収容具における前記密封包装容器の前記鋭角な角部に形成された開口を開閉する開口部開閉具と
からなり、
前記覆い具は、一枚の板状体を折り曲げ部を介して折り曲げることにより、当該折り曲げ部の両側にそれぞれ挟持板が形成されているものであって、
前記覆い具の端縁に取り付けられている前記開口部開閉具は、前記挟持板の端縁にそれぞれ取り付けられている緊締片を備えていて、
前記密封包装容器において開口部が形成される前記角部が前記緊締片によって挟持され、
前記緊締片同士がボルトによって緊締状態とされ、あるいは、当該緊締状態が緩められることにより、
前記鋭角な角部に形成された開口が開閉され
ることを特徴とする流動体収容具と開口部開閉具との組み合わせである。
【手続補正４】
【補正対象書類名】明細書
【補正対象項目名】００１０
【補正方法】変更
【補正の内容】
【００１０】  請求項３記載の考案は、
可撓性を有する素材からなり、鋭角な角部を少なくとも一つ備えている密封包装容器の内部に流動性を有する内容物が収容されている流動体収容具と、
前記流動体収容具を内部に収容する円筒状の覆い筒の２つに切り離されている円筒周壁端縁に取り付けられていて、記流動体収容具における前記密封包装容器の前記鋭角な角部に形成された開口を開閉する開口部開閉具と
からなり、
前記開口部開閉具は、前記２つに切り離されている円筒周壁端縁にそれぞれ取り付けられている緊締片を備えており、
前記密封包装容器において開口部が形成される前記角部が前記緊締片によって挟持され、
前記緊締片同士がボルトによって緊締状態とされ、あるいは、当該緊締状態が緩められることにより、
前記鋭角な角部に形成された開口が開閉され
ることを特徴とする流動体収容具と開口部開閉具との組み合わせである。